(57)【要約】粒状化装置の噴霧ヘッドであって、断面が楕円形で、中心軸（３８）を有する円柱状制御体（３６）が設けられたスロット付きノズルを具備する噴霧ヘッドに関する。制御体（３６）は、ノズル流路（２６）の底面（２８）とカバー面（３０）間の略中心に配置され、所定位置で中心軸（３８）の周りに回動可能となっている。制御体（３６）の下方と上方にノズルスロット（４２、４４）が形成され、該スロットの高さは楕円形・円柱状制御体（３６）をその中心軸（３８）の周りに回動させることにより調整可能となっている。
2006507407.tif 000002
【特許請求の範囲】
【請求項１】
スロット付きノズル（２２）を有し、その中で、流れ断面が長方形のノズル流路（２６）が床面（２８）により下方を、上面（３０）により上方を、側面（３２、３４）により側方を制限され、このノズル流路（２６）内で長方形の流れ制御体（３６）が側面（３２、３４）間を軸方向に延びてノズルスロットの高さを制限し、この制御体（３６）が長手方向軸線の周りに回動してノズルスロットの高さを制御するようにした粒状化装置用噴霧ヘッドであって、
制御体（３６）が楕円形の断面を有し、床面（２８）と上面（３０）間の略中央に配置され、中心軸の（３８）の周りに回動自在の円柱体であり、それにより制御体（３６）の上方並びに下方にノズルスロット（４２、４４）が形成され、制御体（３６）をその中心軸（３８）の周りに回動することによりその高さが調整可能となる構成を特徴とする粒状化装置用噴霧ヘッド。
【請求項２】
楕円形断面の短軸と長軸と比が０．５０〜０．９５である請求項１に記載の噴霧ヘッド。
【請求項３】
ノズル流路（２６）の断面は、高さ（Ｈ）が楕円形断面の長軸より数ミリメートル長い矩形断面であり、それにより２つのノズルスロット（４２、４４）が常に開口状態にあるようにして成る請求項２に記載の噴霧ヘッド。
【請求項４】
制御体（３６）がその両端の各々に支承ピン（５０、５２）を備え、この支承ピンがノズル流路（２６）から側方に突出し、ノズル流路（２６）の外側に回動自在に取り付けられて成る請求項１〜３の何れか一つに記載の噴霧ヘッド。
【請求項５】
２つの支承ピンの一方（５２）にクランク（７４）が固定連結され、このクランク（７４）にリフト装置（７６）が連結され、このリフト装置のリフト量が、制御体（３６）のその中心軸（３８）の周りの回動量に変換されるようにして成る請求項４に記載の噴霧ヘッド。
【請求項６】
制御体（３６）が少なくとも一端に、スロット付きノズル（２２）の側壁の円形穴に挿入され、Ｏリングにて封止された円筒状封止フランジ（６２、６４）を備え、上記円形穴が制御体（３６）をこの穴を通してノズル流路（２６）に挿入・引抜するのに十分な大きさである請求項４又は５に記載の噴霧ヘッド。
【請求項７】
ノズル流路（２６）の床面（２８）と上面（３０）並びに制御体（３６）の面がプラズマ被覆されて成る請求項１〜６の何れか一つに記載の噴霧ヘッド。
【請求項８】
スロット付きノズル（２２）が給水室（箱）の前側に配置され、スロット付きノズル（２２）の上方及び／又は下側にて、この前側で有孔型ノズルを備えた面が配置されて成る請求項１〜７の何れか一つに記載の噴霧ヘッド。
【請求項９】
噴霧ヘッド内の粒状化水流量を制御するための制御装置内に、スロット付きノズル（２２）がアクチュエータとして組み込まれて成る請求項１〜８の何れか一つに記載の噴霧ヘッド。
【請求項１０】
噴霧ヘッド内の粒状化水圧を制御する制御装置内に、スロット付きノズル（２２）がアクチュエータとして組み込まれて成る請求項１〜８の何れか一つに記載の噴霧ヘッド。
【発明の詳細な説明】
【技術分野】
【０００１】
本発明は粒状化装置の噴霧ヘッドに関する。
【背景技術】
【０００２】
高炉スラグの粒状化に際しては、液体スラグ流がスラグ流路から粒状化池（タンク）に落下する間に、冷却水が噴霧ヘッドによりこのスラグ流に噴霧される。液体スラグはこの工程中に急冷され、固化して粒体を形成する。
【０００３】
高炉スラグ１トンを粒状化（粒体化）するためには、粒状化水４〜１２ｍ３が必要である。従って、大型の高炉では、噴霧ヘッド内の粒状化水の流量は１０００〜４０００ｍ３／ｈとなる。粒状化水の量は別として、粒状体の質に対しては、就中液体スラグ流に当たる噴射水の衝撃と形状が決定的である。これ等のパラメタは主として、噴霧ヘッドによって決まる。
【０００４】
スラグの流量は一定ではない。粒状化を経済的に行い、且つ粒状体の質の一定化を図るには、圧力を一定にした儘、粒状化水をスラグ流量に合わせる必要がある。
【０００５】
この目的を達成するため、有孔型ノズル面と、制御可能なスロット付きノズルを備えた噴霧ヘッドがＤＥ４０３２５１８Ｃ１に提案されている。この制御可能なスロット付きノズルには反対方向に回転される２つのフラップ羽根が設けられ、高さを調整できるノズルを形成している。各フラップ羽根の一方の縦縁は波状で、水の流れ方向を横切る、方形のノズル流路の床面又は上面に延びる円筒状の支承空洞内に回転自在に嵌合している。フラップ羽根の他方の縦縁は、このノズル流路内のノズルスロットの上方又は下方のリップを形成する。２つの、偏心して取り付けられたフラップ羽根を反対方向に回転することにより、２つのリップ間の距離を変更、即ちノズルスロットの高さを減少又は増大することができる。二つのフラップ羽根はノズル流路の外側で、電気モータで駆動される反対回転ギアに連結されている。
【０００６】
だが、ＤＥ４０３２５１８Ｃ１に記載の噴霧ヘッドには多くの不都合がある。例えば、水流が２つのフラップ羽根にかなりのモーメントを及ぼすことから、反対回転ギアと電気駆動装置は比較的強力でなければならない。その上、差し込まれるスロット付きノズルの耐摩耗性が求められる。多くの粒状化装置では、粒状化水は実際には密閉サイクルを通る際に、多量のスラグ砂を運ぶことになる。そのようなスラグと砂の混合物の研磨力に付いては、当業者に良く知られているところである。ＤＥ４０３２５１８Ｃ１に記載のスロット付きノズルでは、特にノズルスロットの２つのリップが大きな研磨力を受け、比較的急速に磨耗する。この磨耗のため、スロット付きノズルの制御系は特性が比較的不正確なものになってしまう。その上、微細なスラグ砂がフラップ羽根の支承空洞部に入り込み、フラップ羽根を塞いでしまうこともある。
【発明の開示】
【発明が解決しようとする課題】
【０００７】
従って本発明の目的は粒状化装置の噴霧ヘッドであって、簡単に操作でき、保守を殆ど要せず、更に制御系の特性が安定していることを特徴とする制御可能な噴霧ヘッドを提供することにある。本発明によれば、この目的は請求項１による噴霧ヘッドにより達成される。
【課題を解決するための手段】
【０００８】
本発明による噴霧ヘッドでは、少なくとも一つの制御可能なスロット付きノズルが備わり、制御体は断面が楕円形で、中心軸を有する円柱体である。制御体はノズル流路の床面と上面間の略中心に配置され、上記中心軸の周りに回動可能になっていて、制御体の上方と下方にノズルスロットが形成され、その高さは制御体を単にその中心軸の周りに回動することにより調整できる。このような制御可能なスロット付きノズルでは、極めて過酷な条件下（粒状化水中の研磨性の砂等）でも保守を殆ど要せず、且つ極めて長い時間に亘って制御系の優れた特性を確保している。因みに、粒状化水に含まれる砂が特に急速な磨耗を引き起こしたところで、楕円・円柱状制御体には弱点が無い。また、楕円柱状制御体の周りの流れは比較的層流状であり、スラグ砂の研磨力が局部的渦により強化されることはない。従って、楕円柱状制御体は、粒状化水が砂による過酷な攻撃を呈する場合にも、スロット付きノズルの制御系の特性が本質的に悪化することなく、極めて長時間に亘って適用可能である。また、制御体がノズル流路の中心に配置されるため、微細な砂が溝又は空隙に堆積し、スロット付きノズルの作用性を損なうことはない。更に、中心軸の周りに回転可能な制御体に水流が及ぼすモーメントは小さいことも注目されるべきである。従って、制御体の角位置決定のためには、小さいトルクで良く、従って弱い駆動力で足りる。
【０００９】
制御系の良好な特性を確保し、磨耗を低く保つには、制御体の楕円形断面の短軸と長軸の比を０．５０〜０．９５とすると良い。
【００１０】
ノズル流路の矩形断面の高さは、楕円形断面の長軸より数ミリメートル大きくすると良い。これにより、例えば、ノズル流路及び／又は制御体が変形する場合でも、制御体が閉位置で閉塞することが無くなる。
【００１１】
制御体はその両端の各々に支承ピンが備わり、これがノズル流路から側方に突出し、ノズル流路の外側に回転自在に取り付けられるようにすると良い。簡単なクランクギアを用い、リフト装置のリフト量を、制御体のその中心軸の周りの回転移動量に変換することができる。制御トルクは微小で良いので、リフト装置を比較的弱い電気リニアドライブとすると好都合であり、これにより制御体の角位置を特に簡単に定めることができる。
【００１２】
一つの有利な実施態様では、制御体が少なくとも一端に円筒状の封止フランジを備え、これをスロット付きノズルの側壁に設けた丸穴に挿入し、Ｏリングでそこに封止するようにする。この丸穴は、制御体をこの穴を通してノズル流路に差込・引き出しできるように十分大きくして、制御体の交換が比較的容易にできるようにすると良い。
【００１３】
制御体の面並びにノズル溝の床面及び上面は好ましくはプラズマ被覆され、これ等の面の耐摩耗性を更に高めるようにすると良い。制御体の面は簡単な凸面であるので、制御体の表面被覆は特に耐久性がある。
【００１４】
本発明による噴霧ヘッドは更に、給水室（箱）を備え、その前側にスロット付きノズルを配設しても良く、更にスロット付きノズルの上方及び／又は下方の前側に一群の有孔型ノズル面を配設できるようにしても良い。
【００１５】
噴霧ヘッドに粒状化水を、ポンプセットを用いて供給する場合、粒状化水の圧力を制御する制御装置を噴霧ヘッドが備え、スロット付きノズルがアクチュエータとして一体化されるようにすると有利である。だが、配水タンクを用いて噴霧ヘッドに粒状化水を供給する場合、粒状化水量を制御する制御装置を噴霧ヘッドが備え、そこでスロット付きノズルがアクチュエータとして一体化されるようにすると有利である。
【００１６】
高炉スラグの粒状化装置のように水量が大きい粒状化装置に
本発明による噴霧ヘッドを利用すると特に有利である。
【発明を実施するための最良の形態】
【００１７】
以下、本発明の好適な側面を本発明の一具体例として添付図面を参照して説明する。
【００１８】
図に示されている噴霧ヘッド１０は、高炉スラグの粒状化装置用を対象とするものであり、その機能は、液体スラグの流れが、例えばスラグ流路から粒状化タンクに落下する間に、この液体スラグ流に冷却水を噴霧することである。
【００１９】
図示の噴霧ヘッド１０には、側方粒状化水供給部１４と側方支持部１６を有する給水箱１２が備わる。図２で矢印１８が指しているのは、粒状化水が出て来る給水箱１２の前側である。粒状化水の送出はこの前側１８の上半にある一群の有孔型ノズル面２０と、その下半にあるスロット付きノズル２２を介して行われる。
【００２０】
スロット付きノズル２２はソケット材２４を有し、その内部に、矩形の流れ断面を有するノズル流路２６が、床面２８により下方を、上面３０により上方を、側面３２、３４により側方を制限されるように構成されている。これ等の面２８、３０、３２、３４はスラグ砂の研磨作用に対する、より有効な保護のため、プラズマ被覆されている。尚、ソケット材２４は交換可能な部品として設計され、給水箱１２上に突設されている。
【００２１】
スロット付きノズル２２にはまた円柱状の流れ制御体３６が有って、これがノズル流路２６内に、その全幅に亘って、床面２８と上面３０間の中心に延びている。図２から、制御体３６は楕円形の断面を有することが分かる。楕円円柱状の制御体３６はその中心軸３８の周りに回動可能になっている。
【００２２】
図１において、中心軸３８と短楕円軸を含む面は水の流れ方向４０と直角をなしている。制御体３６がこの位置にあるとき、ノズル流路２６の流れ断面の制御体３６による狭まりは最も少ない。制御体３６と床面２８の間に下方ノズルスロット４２が、制御体３６と上面３０の間に上方ノズルスロット４４が形成される。水はソケット材２４から２つの扁平なジェットとして、これ等のノズルスロット４２，４４を通って流れる。
【００２３】
制御体３６がその中心軸３８の周りを図１に示す位置から回動すると、下方ノズルスロット４２と上方ノズルスロット４４は何れも高さを減じる（図２参照）。云い換えれば、ノズル流路２６は制御体３６の部分で流れ断面を減じる。この流れ断面は、中心軸３８と長楕円軸を含む面が水の流れ方向４０と直角をなすとき、即ち制御体３６がその中心軸３８の周りを図１に示す位置から回動すると、最小となる。長楕円軸とノズル流路２６の高さＨの差は数ミリメートルと小さいので、制御体３６がこの位置にあるときも、二つのノズルスロット４２、４４は依然僅かに開いている。このため、温度や機械的要因でソケット材２４が変形しても、噴射ノズル２２はそのような変形に対して比較的不感応なものとなる。尚、制御体３６の面もプラズマ被覆されている。
【００２４】
図３から、制御体３６がその両端の各々に支承ピン５０、５２を備え、これ等のピンはノズル流路２６から側方に突出し、そこでベアリング５４、５６に夫々、回転自在に取り付けられていることが分かる。これ等２つのベアリング５４、５６は、外側からソケット材２４の側壁にネジ止めされた取付フランジ５８、５６に設けると有利である。
【００２５】
制御体３６は更に、その両端の各々に円筒状の封止フランジ６２、６４を備え、これ等のフランジはソケット材２４の側壁の円形穴に挿入され、Ｏリングでそこに封止されている。尚、ソケット材２４の側壁のこれ等２つの円形穴の径は制御体３６の長楕円軸より大きく、２つの取付フランジ５８、６０を緩めた後、制御体３６をノズル流路２６からこれ等の穴を通して引き抜くことができ、また再度取り付けることができるようになっている。
【００２６】
図３において参照番号７０は、支承ピン５２に設置され、固定連結されている延長シャフトを表している。延長シャフト７０は給水箱１２の外側で、フランジ７２に回動自在に取り付けられ、このフランジの外側にクランク７４を備えている。クランク７４は電気リニアドライブ７６に連結され、このリフト装置のリフト量を、制御体のその回動軸の周りの回動量に変換するようにしている。角度振幅を少なくとも９０°とし、制御体３６の制御能力が完全に利用されるようにする。尚、ドライブ７６は比較的弱いもので良い。制御体３６の形状のため、また制御体３６が支持されていることから、水の力を抑えるのに必要な制御トルクは小さくて良いからである。電気リニアドライブ７６の代わりに、空気圧シリンダーを挿入しても勿論良い。更に、回転駆動装置により制御体３６を回動することもできる。回動駆動装置としては、例えば電気パルスモータを用いても良く、これによりリニアドライブ７６の場合と同様に、制御体の所定角度位置を正確に調整することができる。
【００２７】
また、断面が楕円形の制御体３６では水に乱流を生じることは殆ど無いことが強調される。このことは噴霧ヘッド内の粒状化水の全圧力損失に明白な効果をもたらすだけでなく、水が流れる面に対するスラグ砂の研磨効果も本質的に少なくする。
【００２８】
図４のグラフは、制御体３６の制御角に対するスロット付きノズル２２の流量を示している。制御角０°は、中心軸３８と長楕円軸を含む面が水の流れ方向４０と直角をなすことを示す。制御角９０°は、中心軸３８と短楕円軸を含む面が水の流れ方向４０と直角をなすことを示す。このグラフを得るのに用いた制御体３６の断面は、短軸と長軸の比が約０．７６の楕円断面である。この比は、スロット付きノズル２２の制御系の特性を定めるもので、０．５０〜０．９５とすると良い。また、図４のグラフから、流量が制御角に略比例して増大するのが分かる。
【００２９】
噴霧ヘッド１０に粒状化水を、ポンプセット（装置）を用いて供給する場合、好ましくは給水箱１２内の測定圧に応じて制御体３６の角度位置を制御する制御装置が備わる。そのような制御装置では、給水箱１２内の圧力は例えば一定に維持される。その場合、噴霧ヘッド１０の水量はポンプ装置の流量制御装置により決定される。
【００３０】
噴霧ヘッド１０に一定水圧を、例えば配水タンクから供給する場合、スロット付きノズルがアクチュエータとして一体化された粒状化水量制御装置が備わるようにすると良い。
【図面の簡単な説明】
【００３１】
【図１】本発明による噴霧ヘッドの三次元図である。
【図２】図１の噴霧ヘッドの断面を示し、図３における切断面の位置が線２−２で表されている。
【図３】図１の噴霧ヘッドの断面を示し、図２における切断面の位置が線３−３で表されている。
【図４】本発明による噴霧ヘッドにおけるスロット付きノズルの制御動作を示す図である。
【図１】
2006507407.tif 000003
【図２】
2006507407.tif 000004
【図３】
2006507407.tif 000005
【図４】
2006507407.tif 000006
【国際調査報告】
2006507407.tif 000007
2006507407.tif 000008
2006507407.tif 000009
2006507407.tif 000010